(57)【要約】      （修正有）【課題】信号の振幅を等化できる周波数帯域を広げる。【解決手段】レベル制御装置１は、入力された信号の周波数ごとの電圧レベルを調整する振幅等化器１２と、振幅等化器１２から出力された信号を、第１周波数帯域の信号と、前記第１周波数帯域よりも高い周波数帯域である第２周波数帯域の信号とに分割する分割部としての結合器１３、分配器１４、第１フィルタ１５及び第２フィルタ１６と、第１周波数帯域に含まれる信号の電圧レベルを検出する第１検波器１７と、第２周波数帯域に含まれる信号の電圧レベルを検出する第２検波器１８と、第１検波器１７により検出された信号の電圧レベルに基づいて、振幅等化器１２における第１周波数帯域の電圧レベルの調整量を制御するとともに、第２検波器１８により検出された信号の電圧レベルに基づいて、振幅等化器１２における第２周波数帯域の電圧レベルの調整量を制御する調整量制御部１９とを備える。【選択図】図１
2018182526.tif 000002
【特許請求の範囲】
【請求項１】
入力された信号の周波数ごとの電圧レベルを調整するレベル調整部と、
前記レベル調整部から出力された信号を、第１周波数帯域の信号と、前記第１周波数帯域よりも高い周波数帯域である第２周波数帯域の信号とに分割する分割部と、
前記第１周波数帯域に含まれる信号の電圧レベルを検出する第１検出部と、
前記第２周波数帯域に含まれる信号の電圧レベルを検出する第２検出部と、
前記第１検出部により検出された信号の電圧レベルと、前記第２検出部により検出された信号の電圧レベルとに基づいて、前記レベル調整部における、前記入力された信号の電圧レベルの調整量を制御する調整量制御部と、
を備えるレベル制御装置。
【請求項２】
前記調整量制御部は、前記第１周波数帯域に含まれる信号の電圧レベルと、前記第２周波数帯域に含まれる信号のレベルとが近付くように前記レベル調整部における電圧レベルの調整量を制御する、
請求項１に記載のレベル制御装置。
【請求項３】
前記第１検出部及び前記第２検出部のそれぞれは、検出対象の周波数帯域に含まれる信号の最大の電圧レベルと最小の電圧レベルとを検出し、
前記調整量制御部は、前記第１検出部により検出された前記第１周波数帯域の信号の最大の電圧レベルと最小の電圧レベルと、前記第２検出部により検出された前記第２周波数帯域の信号の最大の電圧レベルと最小の電圧レベルとに基づいて、前記レベル調整部における電圧レベルの調整量を制御する、
請求項１又は２に記載のレベル制御装置。
【請求項４】
前記分割部は、前記入力された信号が伝送される複数の通信チャネルのそれぞれに割り当てられた周波数に基づいて前記第１周波数帯域及び前記第２周波数帯域を変化させる、
請求項１から３のいずれか１項に記載のレベル制御装置。
【請求項５】
前記分割部は、
前記第１周波数帯域の信号を通過させる第１フィルタと、
前記第２周波数帯域の信号を通過させる第２フィルタと、
前記レベル調整部から出力された信号を、前記第１フィルタ及び前記第２フィルタに分配する分配器とを有する、
請求項１から４のいずれか１項に記載のレベル制御装置。
【発明の詳細な説明】
【技術分野】
【０００１】
本発明は、入力信号の電圧レベルを調整するレベル制御装置に関する。
【背景技術】
【０００２】
信号の送受信を行う送受信機に用いられる増幅器やフィルタのゲインは、周波数特性を有している。このため、入力信号が増幅器やフィルタを通過すると、通信帯域における信号のレベルが一定ではなくなってしまう。信号のレベルが一定ではなくなると、変復調時にエラーが発生し、通信品質が劣化してしまう。これに対して、信号の送受信を行う送受信機では、通信帯域内における信号のレベルの幅を小さくするために振幅等化器が用いられている（例えば、特許文献参照）。
【先行技術文献】
【特許文献】
【０００３】
【特許文献１】特開２０１２−１７００７９号公報
【発明の概要】
【発明が解決しようとする課題】
【０００４】
ところで、近年の通信の高速化によって、高周波通信では、信号の広帯域化が進んでいる。振幅等化器は、通信帯域内における信号の最大の電圧レベルと最小の電圧レベルとに基づいて、電圧レベルの幅が小さくなるように制御するものの、信号の帯域が広帯域になると、帯域内の全ての周波数の振幅を精度良く等化できなくなる。例えば、周波数特性が非線形である場合には、通信帯域内における信号の最大の電圧レベルと最小の電圧レベルとに基づいて、通信帯域内における信号の電圧レベルを一定の大きさに近づけることができなくなるという問題が発生する。
【０００５】
そこで、本発明はこれらの点に鑑みてなされたものであり、信号の振幅を等化できる周波数帯域を広げることを目的とする。
【課題を解決するための手段】
【０００６】
本発明の第１の態様に係るレベル制御装置は、入力された信号の周波数ごとの電圧レベルを調整するレベル調整部と、前記レベル調整部から出力された信号を、第１周波数帯域の信号と、前記第１周波数帯域よりも高い周波数帯域である第２周波数帯域の信号とに分割する分割部と、前記第１周波数帯域に含まれる信号の電圧レベルを検出する第１検出部と、前記第２周波数帯域に含まれる信号の電圧レベルを検出する第２検出部と、前記第１検出部により検出された信号の電圧レベルと、前記第２検出部により検出された信号の電圧レベルとに基づいて、前記レベル調整部における、前記入力された信号の電圧レベルの調整量を制御する調整量制御部と、を備える。
【０００７】
前記調整量制御部は、前記第１周波数帯域に含まれる信号の電圧レベルと、前記第２周波数帯域に含まれる信号のレベルとが近付くように前記レベル調整部における電圧レベルの調整量を制御してもよい。
【０００８】
前記第１検出部及び前記第２検出部のそれぞれは、検出対象の周波数帯域に含まれる信号の最大の電圧レベルと最小の電圧レベルとを検出し、前記調整量制御部は、前記第１検出部により検出された前記第１周波数帯域の信号の最大の電圧レベルと最小の電圧レベルと、前記第２検出部により検出された前記第２周波数帯域の信号の最大の電圧レベルと最小の電圧レベルとに基づいて、前記レベル調整部における電圧レベルの調整量を制御してもよい。
【０００９】
前記分割部は、前記入力された信号が伝送される複数の通信チャネルのそれぞれに割り当てられた周波数に基づいて前記第１周波数帯域及び前記第２周波数帯域を変化させてもよい。
【００１０】
前記分割部は、前記第１周波数帯域の信号を通過させる第１フィルタと、前記第２周波数帯域の信号を通過させる第２フィルタと、前記レベル調整部から出力された信号を、前記第１フィルタ及び前記第２フィルタに分配する分配器とを有してもよい。
【発明の効果】
【００１１】
本発明によれば、信号の振幅を等化できる周波数帯域を広げることができるという効果を奏する。
【図面の簡単な説明】
【００１２】
【図１】第１実施形態に係るレベル制御装置の構成を示す図である。
【図２】第１実施形態に係る振幅等化器の回路構成を示す図である。
【図３】第２実施形態に係るレベル制御装置の構成を示す図である。
【図４】第２実施形態に係る第１フィルタの回路構成を示す図である。
【発明を実施するための形態】
【００１３】
＜第１実施形態＞
［レベル制御装置１の構成］
図１は、第１実施形態に係るレベル制御装置１の構成を示す図である。レベル制御装置１は、入力された信号の周波数ごとの電圧レベルを調整することにより、当該信号の電圧レベルを等化する装置である。
【００１４】
レベル制御装置１は、入力された信号の周波数ごとの電圧レベルを調整する振幅等化器１２を備える。レベル制御装置１は、振幅等化器１２により電圧レベルが調整された信号を、第１周波数帯域の信号と、第１周波数帯域よりも高い周波数帯域である第２周波数帯域の信号とに分割する。
【００１５】
レベル制御装置１は、第１周波数帯域に含まれる信号の電圧レベルを検出するとともに、第２周波数帯域に含まれる信号の電圧レベルを検出する。レベル制御装置１は、第１周波数帯域に含まれる信号の電圧レベルと、第２周波数帯域に含まれる信号の電圧レベルとに基づいて、振幅等化器１２における、入力された信号の周波数ごとの電圧レベルの調整量を制御する。このようにすることで、レベル制御装置１は、それぞれの周波数帯域において検出された電圧レベルに基づいて、振幅等化器１２における、それぞれの周波数帯域の電圧レベルを調整することができる。これにより、レベル制御装置１は、信号の振幅を等化できる周波数帯域を広げることができる。
【００１６】
以下、レベル制御装置１の構成について説明する。
図１に示すように、レベル制御装置１は、フィルタ１０と、増幅器１１と、振幅等化器１２と、結合器１３と、分配器１４と、第１フィルタ１５と、第２フィルタ１６と、第１検波器１７と、第２検波器１８と、調整量制御部１９とを備える。
【００１７】
フィルタ１０は、例えばバンドパスフィルタである。フィルタ１０は、入力信号のうち、所定の周波数帯域に含まれる信号を通過させる。
増幅器１１は、フィルタ１０を通過した信号の電圧レベルを増幅させて、振幅等化器１２に入力する。
【００１８】
振幅等化器１２は、増幅器１１から入力された信号の周波数ごとの電圧レベルを調整するレベル調整部として機能する。具体的には、振幅等化器１２は、調整量制御部１９から制御電圧が入力されることにより、入力された信号の周波数ごとの電圧レベルを調整する。
【００１９】
結合器１３、分配器１４、第１フィルタ１５、及び第２フィルタ１６は、振幅等化器１２から出力された信号を、第１周波数帯域の信号と、第２周波数帯域の信号とに分割する分割部として機能する。
【００２０】
結合器１３は、振幅等化器１２から出力された信号を分配器１４に出力するとともに、当該信号を出力信号として外部に出力する。
分配器１４は、結合器１３から出力された信号を第１フィルタ１５と、第２フィルタ１６とに分配する。
【００２１】
第１フィルタ１５は、例えばバンドパスフィルタである。第１フィルタ１５は、分配器１４によって分配された信号のうち、第１周波数帯域の信号を通過させて、第１検波器１７に出力する。
第２フィルタ１６は、例えばバンドパスフィルタである。第２フィルタ１６は、分配器１４によって分配された信号のうち、第２周波数帯域の信号を通過させて、第２検波器１８に出力する。
【００２２】
第１検波器１７は、第１検出部として機能し、第１周波数帯域に含まれる信号の電圧レベルを検出する。具体的には、第１検波器１７は、検出対象の第１周波数帯域に含まれる信号の最大の電圧レベルと、最小の電圧レベルとを検出する。第１検波器１７は、検出した電圧レベルを示す信号を調整量制御部１９に出力する。
【００２３】
第２検波器１８は、第２検出部として機能し、第２周波数帯域に含まれる信号の電圧レベルを検出する。具体的には、第２検波器１８は、検出対象の第２周波数帯域に含まれる信号の最大の電圧レベルと、最小の電圧レベルとを検出する。第２検波器１８は、検出した電圧レベルを示す信号を調整量制御部１９に出力する。
【００２４】
調整量制御部１９は、第１検波器１７により検出された信号の電圧レベルと、第２検波器１８により検出された信号の電圧レベルとに基づいて、振幅等化器１２における、入力された信号の電圧レベルの調整量を制御する。
【００２５】
具体的には、調整量制御部１９は、第１検波器１７により検出された第１周波数帯域に含まれる信号の電圧レベルと、第２検波器１８により検出された第２周波数帯域に含まれる信号の電圧レベルとが近付くように、振幅等化器１２における電圧レベルの調整量を制御する。ここで、調整量制御部１９は、第１周波数帯域に含まれる信号の最小の電圧レベルと、第２周波数帯域に含まれる信号の最小の電圧レベルとが近付くように振幅等化器１２における電圧レベルの調整量を制御する。
【００２６】
なお、調整量制御部１９は、第１周波数帯域に含まれる信号の最大の電圧レベルと、第２周波数帯域に含まれる信号の最大の電圧レベルとが近付くように振幅等化器１２における電圧レベルの調整量を制御してもよい。
【００２７】
以下に、調整量制御部１９による、電圧レベルの調整量制御の具体例について説明する。
まず、振幅等化器１２の回路構成について説明する。図２は、振幅等化器１２の回路構成の一例を示す図である。図２に示すように、振幅等化器１２は、コンデンサＣ１、Ｃ２、Ｃ３、Ｃ４、Ｃ５と、抵抗Ｒ１、Ｒ２、Ｒ３、Ｒ４と、インダクタＬ１、Ｌ２と、バリキャップダイオードＤ１、Ｄ２とを備えている。
【００２８】
コンデンサＣ１と、コンデンサＣ２と、インダクタＬ１と、コンデンサＣ３とは直列に接続されている。
コンデンサＣ１の一端は、信号が入力される入力端子Ｔ１に接続されている。
コンデンサＣ３の一端は、信号が出力される出力端子Ｔ２に接続されている。
【００２９】
抵抗Ｒ１の一端は、コンデンサＣ１とコンデンサＣ２との間の接続点に接続されている。抵抗Ｒ１の他端は、第１制御電圧Ｖｃ１が印加される端子Ｔ３に接続されている。
バリキャップダイオードＤ１のアノードは、コンデンサＣ２とインダクタＬ１との間の接続点に接続されている。バリキャップダイオードＤ１のカソードは、コンデンサＣ１とコンデンサＣ２との間の接続点に接続されている。
第１制御電圧Ｖｃ１が変化すると、バリキャップダイオードＤ１の容量が変化する。そうすると、入力端子Ｔ１と出力端子Ｔ２との間に形成されるＬＣ直列回路の周波数特性が変化する。
【００３０】
コンデンサＣ４とコンデンサＣ５とは直列に接続されている。コンデンサＣ４とコンデンサＣ５からなる直列回路と、インダクタＬ２とは並列に接続され、ＬＣ並列回路を構成している。ＬＣ並列回路の一端は接地しており、他端は、抵抗Ｒ２の一端と抵抗Ｒ３の一端とに接続されている。
【００３１】
抵抗Ｒ２の他端は、入力端子Ｔ１と、コンデンサＣ１との間の接続点に接続されている。
抵抗Ｒ３の他端は、出力端子Ｔ２と、インダクタＬ１との間の接続点に接続されている。
【００３２】
抵抗Ｒ４の一端は、第２制御電圧Ｖｃ２が印加される端子Ｔ４に接続されている。抵抗Ｒ４の他端は、バリキャップダイオードＤ２のアノードに接続されている。
バリキャップダイオードＤ２のカソードは、コンデンサＣ４とコンデンサＣ５との間の接続点に接続されている。
第２制御電圧Ｖｃ２が変化すると、バリキャップダイオードＤ２の容量が変化する。そうすると、ＬＣ並列回路の周波数特性が変化する。振幅等化器１２を構成するＬＣ直列回路の周波数特性と、ＬＣ並列回路の周波数特性とが変化することにより、振幅等化器１２における周波数特性が変化する。
【００３３】
調整量制御部１９は、第１検波器１７により検出された第１周波数帯域の信号の最大の電圧レベル及び最小の電圧レベルと、第２検波器１８により検出された第２周波数帯域の信号の最大の電圧レベル及び最小の電圧レベルとに基づいて、振幅等化器１２に印加する第１制御電圧Ｖｃ１及び第２制御電圧Ｖｃ２を変化させる。これにより、調整量制御部１９は、振幅等化器１２における電圧レベルの調整量を制御する。
【００３４】
例えば、第１周波数帯域の信号の最大の電圧レベル及び最小の電圧レベルと、第２周波数帯域の信号の最大の電圧レベル及び最小の電圧レベルと、第１制御電圧Ｖｃ１及び第２制御電圧Ｖｃ２との関係を、レベル制御装置１が備える記憶部（不図示）に記憶させておく。調整量制御部１９は、記憶部に記憶されている関係に基づいて、検出された第１周波数帯域の信号の最大の電圧レベル及び最小の電圧レベルと、第２周波数帯域の信号の最大の電圧レベル及び最小の電圧レベルとに対応する第１制御電圧Ｖｃ１及び第２制御電圧Ｖｃ２を特定する。
【００３５】
調整量制御部１９は、特定した第１制御電圧Ｖｃ１を端子Ｔ３に印加するとともに、第２制御電圧Ｖｃ２を端子Ｔ４に印加する。これにより、振幅等化器１２を構成するＬＣ直列回路の周波数特性と、ＬＣ並列回路の周波数特性とが変化するので、振幅等化器１２における周波数特性も変化する。よって、振幅等化器１２における電圧レベルの調整量が変化する。
【００３６】
［第１実施形態の効果］
以上のとおり、第１実施形態に係るレベル制御装置１は、振幅等化器１２から出力された信号を、第１周波数帯域の信号と、第２周波数帯域の信号とに分割する。レベル制御装置１は、第１周波数帯域に含まれる信号の電圧レベルを検出するとともに、第２周波数帯域に含まれる信号の電圧レベルを検出する。レベル制御装置１は、検出した第１周波数帯域の信号の電圧レベルと、第２周波数帯域の信号の電圧レベルとに基づいて、振幅等化器１２における、入力された信号の電圧レベルの調整量を制御する。
【００３７】
このようにすることで、レベル制御装置１は、信号の周波数帯域におけるゲインの周波数特性が非線形であっても、第１周波数帯域と第２周波数帯域とのそれぞれの周波数帯域において検出された電圧レベルに基づいて、それぞれの周波数帯域の電圧レベルを調整することができる。したがって、レベル制御装置１は、信号の振幅を等化できる周波数帯域を広げることができる。
【００３８】
また、レベル制御装置１は、第１検波器１７により検出された第１周波数帯域の信号の最大の電圧レベルと最小の電圧レベルと、第２検波器１８により検出された第２周波数帯域の信号の最大の電圧レベルと最小の電圧レベルとに基づいて、振幅等化器１２における電圧レベルの調整量を制御する。このようにすることで、レベル制御装置１は、第１周波数帯域と第２周波数帯域とのそれぞれにおいて、最大の電圧レベルと最小の電圧レベルとに基づいて信号の振幅を精度良く等化できる。
【００３９】
＜第２実施形態＞
［通信チャネルに割り当てられた周波数に基づいて第１周波数帯域及び第２周波数帯域を変化させる］
続いて、第２実施形態について説明する。高周波通信では、広周波数帯域において複数の通信チャネルのそれぞれを用いて通信が行われる。そして、複数の通信チャネルに割り当てられる周波数は状況に応じて変化する。第２実施形態では、通信チャネルに割り当てられた周波数に基づいて第１周波数帯域及び第２周波数帯域を変化させる点で第１実施形態と異なる。以下、第２実施形態に係るレベル制御装置１について説明する。なお、第１実施形態と同じ部分については適宜説明を省略する。
【００４０】
図３は、第２実施形態に係るレベル制御装置１の構成を示す図である。第２実施形態に係るレベル制御装置１は、分割部として機能する帯域調整部２０をさらに備える。また、第２実施形態において、第１フィルタ１５及び第２フィルタ１６は、信号を通過させる周波数帯域を調整可能なチューナブルフィルタである。
【００４１】
帯域調整部２０は、通信に使用されている複数の通信チャネルのそれぞれに割り当てられた周波数を特定する。そして、帯域調整部２０は、特定した周波数に基づいて第１フィルタ１５及び第２フィルタ１６の調整を行うことにより、第１フィルタ１５が通過させる第１周波数帯域を変化させるとともに、第２フィルタ１６が通過させる第２周波数帯域を変化させる。
【００４２】
以下に、帯域調整部２０による第１周波数帯域及び第２周波数帯域の調整の具体例について説明する。
まず、第１フィルタ１５の回路構成について説明する。なお、第２フィルタ１６の回路構成は、第１フィルタ１５の回路構成と同じであるので説明を省略する。図４は、第１フィルタ１５の回路構成の一例を示す図である。図４に示すように、第１フィルタ１５は、コンデンサＣ１１、Ｃ１２、Ｃ１３、Ｃ１４と、抵抗Ｒ１１、Ｒ１２、Ｒ１３と、インダクタＬ１１、Ｌ１２、Ｌ１３と、バリキャップダイオードＤ１１、Ｄ１２、Ｄ１３とを備えている。
【００４３】
インダクタＬ１１の一端とコンデンサＣ１１の一端とは直列に接続されており、第１ＬＣ直列回路を形成する。
インダクタＬ１１の他端は、信号が入力される入力端子Ｔ１１に接続されている。
バリキャップダイオードＤ１１のアノードは、バリキャップダイオードＤ１２のアノードと接続されている。バリキャップダイオードＤ１１のカソードは、コンデンサＣ１１の他端に接続されている。
抵抗Ｒ１１の一端は、コンデンサＣ１１と、バリキャップダイオードＤ１１との間の接続点に接続されている。また、抵抗Ｒ１１の他端は、第３制御電圧Ｖｃ３が印加される端子Ｔ１３に接続されている。
【００４４】
インダクタＬ１２の一端とコンデンサＣ１２の一端とは直列に接続されており、第２ＬＣ直列回路を形成する。
インダクタＬ１２の他端は、信号が出力される出力端子Ｔ１２に接続されている。
バリキャップダイオードＤ１２のカソードは、コンデンサＣ１２の他端に接続されている。
抵抗Ｒ１２の一端は、コンデンサＣ１２と、バリキャップダイオードＤ１２との間の接続点に接続されている。また、抵抗Ｒ１２の他端は、第３制御電圧Ｖｃ３が印加される端子Ｔ１３に接続されている。
【００４５】
第３制御電圧Ｖｃ３が変化すると、バリキャップダイオードＤ１１、Ｄ１２の容量が変化する。そうすると、入力端子Ｔ１１と出力端子Ｔ１２との間に形成される第１ＬＣ直列回路及び第２ＬＣ直列回路の周波数特性が変化する。
【００４６】
コンデンサＣ１３とコンデンサＣ１４とは直列に接続されている。コンデンサＣ１３とコンデンサＣ１４からなる直列回路と、インダクタＬ１３とは並列に接続され、ＬＣ並列回路を構成している。ＬＣ並列回路の一端は接地しており、他端は、バリキャップダイオードＤ１１と、バリキャップダイオードＤ１２との間の接続点に接続されている。
【００４７】
抵抗Ｒ１３の一端は、第４制御電圧Ｖｃ４が印加される端子Ｔ１４に接続されている。抵抗Ｒ１３の他端は、コンデンサＣ１３とコンデンサＣ１４との間の接続点に接続されている。
バリキャップダイオードＤ１３のアノードは接地されている。バリキャップダイオードＤ１３のカソードは、コンデンサＣ１３とコンデンサＣ１４との間の接続点に接続されている。
【００４８】
第４制御電圧Ｖｃ４が変化すると、バリキャップダイオードＤ１３の容量が変化する。そうすると、ＬＣ並列回路の周波数特性が変化する。第１フィルタ１５に含まれる第１ＬＣ直列回路の周波数特性と、第２ＬＣ直列回路の周波数特性と、ＬＣ並列回路の周波数特性とが変化することにより、第１フィルタ１５における周波数特性が変化する。これにより、第１フィルタ１５が信号を通過させる第１周波数帯域が変化する。
【００４９】
帯域調整部２０は、特定した通信チャネルの周波数に基づいて、第１周波数帯域に少なくとも一つの通信チャネルの周波数が含まれるように、第３制御電圧Ｖｃ３を端子Ｔ１３に印加するとともに、第４制御電圧Ｖｃ４を端子Ｔ１４に印加する。
【００５０】
例えば、通信チャネルの周波数と、第３制御電圧Ｖｃ３と、第４制御電圧Ｖｃ４との関係を、レベル制御装置１が備える記憶部（不図示）に記憶させておく。帯域調整部２０は、記憶部に記憶されている関係に基づいて、特定した通信チャネルの周波数に対応する第３制御電圧Ｖｃ３及び第４制御電圧Ｖｃ４を特定する。そして、帯域調整部２０は、特定した第３制御電圧Ｖｃ３を端子Ｔ１３に印加するとともに、特定した第４制御電圧Ｖｃ４を端子Ｔ１４に印加する。
【００５１】
また、帯域調整部２０は、特定した通信チャネルの周波数に基づいて、第２周波数帯域に少なくとも一つの通信チャネルの周波数が含まれるように、第２フィルタ１６に制御電圧を印加する。第２フィルタ１６に制御電圧を印加する方法は、第１フィルタ１５に制御電圧を印加する方法と同じであるので、詳細な説明を省略する。
【００５２】
［第２実施形態の効果］
以上のとおり、第２実施形態に係るレベル制御装置１は、通信チャネルに割り当てられた周波数に基づいて第１フィルタ１５が通過させる第１周波数帯域を変化させるとともに、第２フィルタ１６が通過させる第２周波数帯域を変化させる。このようにすることで、レベル制御装置１は、複数の通信チャネルのそれぞれに対応する電圧レベルを検出し、複数の通信チャネルのそれぞれに対応する電圧レベルを等化できる。
【００５３】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。例えば、上述の実施形態では、振幅等化器１２から出力された信号を、第１周波数帯域の信号と、第２周波数帯域の信号とに分割したが、これに限らない。例えば、レベル制御装置１は、振幅等化器１２から出力された信号を３つ以上の周波数帯域に分割し、分割された周波数帯域のそれぞれにおける電圧レベルを検出してもよい。そして、レベル制御装置１は、それぞれの周波数帯域において検出された電圧レベルに基づいて、振幅等化器１２における、入力された信号の電圧レベルの調整量を制御するようにしてもよい。また、そのような変更又は改良を加えた形態も本発明の技術的範囲に含まれ得ることが、特許請求の範囲の記載から明らかである。
【符号の説明】
【００５４】
１・・・レベル制御装置、１０・・・フィルタ、１１・・・増幅器、１２・・・振幅等化器、１３・・・結合器、１４・・・分配器、１５・・・第１フィルタ、１６・・・第２フィルタ、１７・・・第１検波器、１８・・・第２検波器、１９・・・調整量制御部、２０・・・帯域調整部
【図１】
2018182526.tif 000003
【図２】
2018182526.tif 000004
【図３】
2018182526.tif 000005
【図４】
2018182526.tif 000006